(57)【要約】【課題】保護カバーの表示部への位置決めを容易に行うことができる保護カバーセットを提供する。【解決手段】表示部、および、押圧されることにより表示部が設けられた面に対して直交する方向に変位する操作部が設けられた携帯端末の表示部を保護するために取り付けられる保護カバーと、保護カバーを表示部に取り付ける際に、表示部が設けられた面に対する位置決めをするための位置決め部材とを備える、保護カバーセットである。位置決め部材は、操作部と略同一形状であり、操作部に着脱可能な粘着性を有する装着面を有し、保護カバーは、表示部が設けられた面と略同一の外周形状を有するとともに、操作部に対応する位置に操作部と略同一形状の貫通孔又は切欠きを有する。【選択図】  図７
2015148650.tif 000002
【特許請求の範囲】
【請求項１】
表示部、および、押圧されることにより前記表示部が設けられた面に対して直交する方向に変位する操作部が設けられた携帯端末の前記表示部を保護するために取り付けられる保護カバーと、
前記保護カバーを前記表示部に取り付ける際に、前記表示部が設けられた面に対する位置決めをするための位置決め部材とを備える、保護カバーセットであって、
前記位置決め部材は、前記操作部と略同一形状であり、前記操作部に着脱可能な粘着性を有する装着面を有し、
前記保護カバーは、前記表示部が設けられた面と略同一の外周形状を有するとともに、前記操作部に対応する位置に前記操作部と略同一形状の貫通孔又は切欠きを有することを特徴とする保護カバーセット。
【請求項２】
表示部および音声出力部が設けられた携帯端末に、前記表示部を保護するために取り付けられる保護カバーと、
前記保護カバーを前記表示部に取り付ける際に、前記表示部が設けられた面に対する位置決めをするための位置決め部材とを備える、保護カバーセットであって、
前記位置決め部材は、前記音声出力部と略同一形状であり、前記音声出力部に着脱可能な粘着性を有する装着面を有し、
前記保護カバーは、前記表示部が設けられた面と略同一の外周形状を有するとともに、前記音声出力部に対応する位置に前記音声出力部と略同一形状の貫通孔又は切欠きを有することを特徴とする保護カバーセット。
【請求項３】
前記保護カバーは板状ガラスである、請求項１又は２に記載の保護カバーセット。
【発明の詳細な説明】
【技術分野】
【０００１】
本発明は、携帯端末の表示部を保護する保護カバーと保護カバーの位置決めをする位置決め部材とを備える保護カバーセットに関する。
【背景技術】
【０００２】
携帯電話やスマートフォン、ＰＤＡなどの携帯端末においては、表示部を保護するために、表示部の外側に透明な保護カバーが配置される。保護カバーとしてはアクリル等の樹脂やガラス素材が用いられている。中でも、硬質でたわみにくく、厚さを薄くすることができるガラス素材からなる保護カバーが普及し始めている（例えば、特許文献１参照）。
ガラスを用いた保護カバーは、ガラス層と粘着層とからなり、携帯端末の表示部が設けられた面に粘着層を介してガラス層が貼着される。
【先行技術文献】
【特許文献】
【０００３】
【特許文献１】特開２０１３−２４２５６７号公報
【発明の概要】
【発明が解決しようとする課題】
【０００４】
保護カバーの表示部への固定は、保護カバーの粘着層を表示部の外側表面に貼着させることで行われる。しかし、表示部に対する保護カバーの位置がずれた状態で粘着層を表示部の外側表面に貼着させると、保護カバーが表示部を適切に保護できないという問題や、外観が不良になるという問題が生じる。一方、粘着層を一度表示部の外側表面に貼着させた後、表示部に対する保護カバーの位置がずれている場合に、保護カバーの位置を修正するために粘着層を表示部から剥がすと、粘着層の一部が表示部の外側表面に残存したり、保護カバーと表示部の外側表面との間に気泡や汚れ等の異物が入りこみ、外観不良を生じさせるおそれがある。さらに、粘着層を再度表示部の外側表面に貼着させても、粘着層の粘着力が一度目よりも低下するという問題もある。
【０００５】
そこで、本発明は、保護カバーの表示部への位置決めを容易に行うことができる保護カバーセットを提供することを目的とする。
【課題を解決するための手段】
【０００６】
上記の課題を解決するために、保護カバーが取り付けられる端末を発明者が観察したところ、保護カバーが取り付けられる、平滑な表示部が形成された面に、押圧することにより端末を操作するための操作部が設けられており、この操作部の操作性を確保するためには、操作部の位置を基準として端末に対する保護カバーの位置決めを行えばよいと考えた。
【０００７】
このため、本発明の第１の態様は、表示部、および、押圧されることにより前記表示部が設けられた面に対して直交する方向に変位する操作部が設けられた携帯端末の前記表示部を保護するために取り付けられる保護カバーと、前記保護カバーを前記表示部に取り付ける際に、前記表示部が設けられた面に対する位置決めをするための位置決め部材とを備える、保護カバーセットである。
前記位置決め部材は、前記操作部と略同一形状であり、前記操作部に着脱可能な粘着性を有する装着面を有し、前記保護カバーは、前記表示部が設けられた面と略同一の外周形状を有するとともに、前記操作部に対応する位置に前記操作部と略同一形状の貫通孔又は切欠きを有する。
【０００８】
本発明の第２の態様は、表示部および音声出力部が設けられた携帯端末に、前記表示部を保護するために取り付けられる保護カバーと、前記保護カバーを前記表示部に取り付ける際に、前記表示部が設けられた面に対する位置決めをするための位置決め部材とを備える、保護カバーセットである。
前記位置決め部材は、前記音声出力部と略同一形状であり、前記音声出力部に着脱可能な粘着性を有する装着面を有し、前記保護カバーは、前記表示部が設けられた面と略同一の外周形状を有するとともに、前記音声出力部に対応する位置に前記音声出力部と略同一形状の貫通孔又は切欠きを有する。
【０００９】
前記保護カバーは板状ガラスであることが好ましい。
【発明の効果】
【００１０】
上述の保護カバーセットによれば、位置決め部材の装着面を操作部に装着し、次に、操作部に装着された状態の位置決め部材の外周部に保護カバーの貫通孔の壁面を配置することで、携帯端末の表示部が設けられた面に対する保護カバーの位置決めを容易に行うことができる。
【図面の簡単な説明】
【００１１】
【図１】本発明の第１実施形態に係る保護カバー１０が取り付けられた端末１の斜視図である。
【図２】図１のII−II矢視断面図である。
【図３】保護カバー１０の斜視図である。
【図４】本発明の第１実施形態に係る位置決め部材２０Ａの斜視図である。
【図５】位置決め部材２０Ａを端末１に固定した状態を示す斜視図である。
【図６】図５のVI−VI矢視断面図である。
【図７】位置決め部材２０Ａにより保護カバー１０の位置決めを行う状態を示す斜視図である。
【図８】図７のVIII−VIII矢視断面図である。
【図９】本発明の第２実施形態に係る位置決め部材２０Ｂの斜視図である。
【図１０】位置決め部材２０Ｂにより位置決めをした保護カバー１０が携帯電話１に取り付けられた状態を示す断面図である。
【図１１】本発明の第３の実施形態に係る保護カバー１０Ｃの位置決めを行う状態を示す斜視図である。
【図１２】本発明の第４の実施形態に係る位置決め部材２０Ｄにより保護カバー１０の位置決めを行う状態を示す斜視図である。
【図１３】本発明の第５の実施形態に係る位置決め部材２０Ｅにより保護カバー１０Ｅの位置決めを行う状態を示す斜視図である。
【発明を実施するための形態】
【００１２】
〔第１実施形態〕
以下、本発明の第１の実施形態に係る保護カバーセットについて詳細に説明する。なお、本実施形態においては携帯端末の例として携帯電話１を例示するが、本発明はこれに限らず、スマートフォン、ＰＤＡ、タブレット端末、携帯用ゲーム機等の、表示部を有する携帯端末にも適用可能である。
【００１３】
（携帯端末）
図１は、本実施形態に係る保護カバーセットの保護カバー１０が取り付けられた携帯端末の例として、携帯電話１を示す斜視図である。図１に示すように、携帯電話１は、全体として平板状の形状をしており、一方の面に、表示部２、操作部３が設けられている。
表示部２は、携帯電話１に内蔵された液晶ディスプレイ、有機ＥＬディスプレイ等の表示装置の表示面である。なお、この表示装置は、タッチパネル機能を有していてもよい。
【００１４】
操作部３は携帯電話１の所定の機能を発揮させるための釦である。なお、図１では単一の釦のみが表示されているが、携帯電話１に複数の釦が設けられていてもよい。
図２は、携帯電話１の内部機構を省略した、図１のII−II矢視断面図である。図２に示すように、操作部３の表面は、表示部２が設けられた表面よりも窪み、凹部を形成している。操作部３の表面は、ユーザにより押圧されることで表示部２が設けられた面に対して垂直方向に変位する。
なお、携帯電話１の表示部２が設けられた面には、操作部３の他に、スピーカ孔４（音声出力部）のような凹部や、カメラのレンズ部５等が設けられていてもよい。
この携帯電話１の表示部２、操作部３が設けられた面に、保護カバー１０が取り付けられる。
【００１５】
図３は保護カバー１０の斜視図である。保護カバー１０は、後述する位置決め部材２０Ａとともに、本実施形態に係る保護カバーセットを構成する。
保護カバー１０は、携帯電話１の表示部２が形成された面と略同一の外周形状を有している。ここで、「略同一」とは、携帯電話１の表示部２が形成された面に保護カバー１０を固定したときに、携帯電話１の表示部２が形成された面の輪郭線と保護カバー１０の輪郭線とのずれを許容し得る範囲で同一であることをいう。携帯電話１の表示部２が形成された面から保護カバー１０が剥がれにくくなるように、保護カバー１０のほうが携帯電話１の表示部２が形成された面よりも僅かに（例えば１ｍｍ以下の差異で）小さいことが好ましい。
保護カバー１０は、少なくとも表示部２に対応する領域が透明な材料からなる。透明な材料として、例えば、アクリル樹脂等の樹脂やガラス素材を用いることができる。この中でも、保護カバー１０は板状ガラスであることが好ましい。板状ガラスやアクリル樹脂等の硬質な材料であっても、後述するように、位置決め部材２０Ａをあらかじめ操作部３に固定しておくことで、携帯電話１の表示部２が形成された面に対する保護カバー１０の位置決めを確実に行うことができる。
保護カバー１０には、操作部３に対応する位置に操作部３と同一形状かつ略同一の大きさの貫通孔１３が設けられている。すなわち、貫通孔１３は、操作部３の外周形状と全周が略同一形状の内壁面を有している。ここで、「略同一」とは、携帯電話１の表示部２が形成された面の外周形状と、保護カバー１０の外周形状とが、携帯電話１の表示部２が形成された面と保護カバー１０との許容し得るずれの範囲で同一であることをいう。貫通孔１３の内径は、操作部３の外径よりも僅かに（例えば１ｍｍ以下の差異で）大きいことが好ましい。
【００１６】
保護カバー１０には、スピーカ孔４に対応する位置にスピーカ孔４と同一形状かつ同一の大きさの貫通孔１４が設けられていてもよい。また、図示しないが、レンズ部５に対応する位置にレンズ部５と同一形状かつ同一の大きさの貫通孔が設けられていてもよい。
保護カバー１０の携帯電話１に貼着される側の面には、透明な粘着材料１９（図２参照）が設けられている。保護カバー１０は、粘着材料１９により携帯電話１に固定される。粘着材料１９として、例えば、アクリル系粘着剤やシリコーン系粘着剤を用いることができる。
【００１７】
図４は本実施形態に係る保護カバーセットを構成する位置決め部材２０Ａの斜視図である。
位置決め部材２０Ａは、操作部３と同一形状および同一の大きさの装着面２１と、側面２２とを有している。装着面２１には、粘着層が設けられており、粘着層の粘着力により装着面２１が操作部３の上部に固定される。粘着層には、例えば、アクリル系粘着剤やシリコーン系粘着剤を用いることができる。
【００１８】
図５は保護カバー１０が取り付けられる前の携帯電話１の操作部３の上部に位置決め部材２０Ａを固定した状態を示す斜視図であり、図６は、携帯電話１の内部機構を省略した、図５のVI−VI矢視断面図である。装着面２１を操作部３の上面に貼着させることで、位置決め部材２０Ａは操作部３の上部に固定される。なお、位置決め部材２０Ａの操作部３の上部への固定位置が確認できるように、位置決め部材２０Ａは透明な材料からなることが好ましい。透明な材料として、例えば、アクリル等の樹脂やガラス素材を用いることができる。
【００１９】
側面２２は、装着面２１の外周縁から立ち上がる形状を有している。側面２２は保護カバー１０の貫通孔１３の壁面と当接し、保護カバー１０の位置決めをする役割を果たす。
図７は位置決め部材２０Ａにより保護カバー１０の位置決めをする状態を示す斜視図であり、図８は、携帯電話１の内部機構を省略した、図７のVIII−VIII矢視断面図である。図７、図８に示すように、携帯電話１の操作部３に固定された位置決め部材２０Ａを、保護カバー１０の貫通孔１３に挿入し、位置決め部材２０Ａの側面２２と貫通孔１３の壁面とを当接させ、保護カバー１０が携帯電話１に近づく方向に貫通孔１３の壁面を側面２２に沿って移動させる。このとき、携帯電話１の表示部２が設けられた面において、保護カバー１０は位置決め部材２０Ａを中心に回転する自由度しかないため、携帯電話１の表示部２が設けられた面の外周に保護カバー１０の外周を揃えるように調整することで、携帯電話１の表示部２が設けられた面に対する保護カバー１０の位置決めを容易に行うことができる。
【００２０】
ここで、貫通孔１３および装着面２１が操作部３と同一形状かつ同一の大きさであるため、装着面２１の近傍まで位置決め部材２０Ａが貫通孔１３に挿入されるように、位置決め部材２０Ａは、装着面２１の位置が最大外径位置であることが好ましい。
また、位置決め部材２０Ａが上端から容易に貫通孔１３に挿入されるように、位置決め部材２０Ａは、装着面２１と反対側の上端部から装着面２１に向かって太くなることが好ましい。
【００２１】
位置決め部材２０Ａの装着面２１から上端部までの高さは、保護カバー１０の厚さよりも高いことが好ましい。位置決め部材２０Ａの高さが保護カバー１０の厚さよりも高いと、保護カバー１０を携帯電話１に固定した後に、位置決め部材２０Ａの貫通孔１３よりも上方に突出している部分を把持し、携帯電話１から遠ざかる方向に位置決め部材２０Ａを引っ張ることで、位置決め部材２０Ａを携帯電話１から取り外すことができる。
【００２２】
以上説明したように、本実施形態によれば、位置決め部材２０Ａの装着面２１を操作部３に装着し、次に、操作部３に装着された状態の位置決め部材２０Ａの外周部に保護カバー１０の貫通孔１３の壁面を配置することで、携帯電話１の表示部２が設けられた面に対する保護カバー１０の位置決めを容易に行うことができる。
【００２３】
〔第２実施形態〕
図９は本発明の第２の実施形態に係る位置決め部材２０Ｂを示す斜視図である。本変形例に係る位置決め部材２０Ｂには、側面２２に把持部２４が設けられている。なお、装着面２１については第１実施形態と同様の構成であるので同符号を付して説明を割愛する。
把持部２４は、位置決め部材２０の、装着面２１からの高さが保護カバー１０の厚さよりも高い位置に設けられている。把持部２４は、例えば側面２２に設けられた窪みである。
【００２４】
本実施形態においても、位置決め部材２０Ｂの装着面２１を操作部３に装着し、次に、操作部３に装着された状態の位置決め部材２０Ｂの外周部に保護カバー１０の貫通孔１３の壁面を配置することで、携帯電話１の表示部２が設けられた面に対する保護カバー１０の位置決めを容易に行うことができる。
【００２５】
図１０は位置決め部材２０Ｂにより位置決めをした保護カバー１０が携帯電話１に取り付けられた状態を示す断面図である。把持部２４は、位置決め部材２０の、装着面２１からの高さが保護カバー１０の厚さよりも高い位置に設けられているため、図１０に示すように、携帯電話１に取り付けられた保護カバー１０の貫通孔１３よりも上方に突出する。このため、位置決め部材２０Ｂの把持部２４を把持し、携帯電話１から遠ざかる方向に位置決め部材２０Ｂを引っ張ることで、位置決め部材２０Ｂを携帯電話１から容易に取り外すことができる。
【００２６】
〔第３実施形態〕
図１１は位置決め部材２０Ａにより、本発明の第３の実施形態に係る保護カバー１０Ｃの位置決めを行う状態を示す斜視図である。本実施形態に係る保護カバー１０Ｃには、貫通孔１３の代わりに、切欠き１３Ｃが設けられている。切欠き１３Ｃは、操作部３の外周形状と少なくとも一部が略同一形状の壁面を有し、携帯電話１に保護カバー１０Ｃが取り付けられた状態で、操作部３を露出させる役割を果たす。
【００２７】
本実施形態においては、図１１に示すように、携帯電話１の操作部３に位置決め部材２０Ａを貼着し、切欠き１３Ｃの壁面を位置決め部材２０Ａの外周部に配置し、位置決め部材２０Ａの側面２２と切欠き１３Ｃの壁面とを当接させ、保護カバー１０Ｃが携帯電話１に近づく方向に切欠き１３Ｃの壁面を側面２２に沿って移動させる。本実施形態においても、携帯電話１の表示部２が設けられた面における保護カバー１０Ｃの位置を、切欠き１３Ｃの壁面に対応する形状と一部が対応する側面２２を有する位置決め部材２０Ａによって容易に定めることができる。
【００２８】
〔第４実施形態〕
図１２は本発明の第４の実施形態に係る位置決め部材２０Ｄにより保護カバー１０の位置決めを行う状態を示す斜視図である。本実施形態に係る位置決め部材２０Ｄは、携帯電話１のスピーカ孔４（音声出力部）と略同一形状の装着面を有し、装着面に設けられた粘着層により、スピーカ孔４に着脱可能である。
【００２９】
本実施形態においては、図１２に示すように、携帯電話１のスピーカ孔４に位置決め部材２０Ｄを貼着し、貫通孔１４の壁面を位置決め部材２０Ｄの外周部に配置し、位置決め部材２０Ｄの側面と貫通孔１３の壁面とを当接させ、保護カバー１０が携帯電話１に近づく方向に貫通孔１３の壁面を位置決め部材２０Ｄの側面に沿って移動させる。携帯電話１の表示部２が設けられた面における保護カバー１０の回転を、位置決め部材２０Ｄにより規制することができ、携帯電話１の表示部２が設けられた面に対する保護カバー１０の位置決めを容易に行うことができる。
なお、先の実施形態における位置決め部材２０Ａを操作部３に貼着するとともに、本実施形態にかかる位置決め部材２０Ｄをスピーカ孔４に貼着し、位置決め部材２０Ａおよび位置決め部材２０Ｄの両方を用いて保護カバー１０の位置決めを行ってもよい。
【００３０】
〔第５実施形態〕
図１３は本発明の第５の実施形態に係る位置決め部材２０Ｅにより保護カバー１０Ｅの携帯電話機１Ｅに対する位置決めを行う状態を示す斜視図である。本実施形態に係る携帯電話機１Ｅは、表示部２が設けられた面の外周部に操作部３Ｅが設けられている点が上記実施形態とは異なる。このため、本実施形態に係る保護カバー１０Ｅは、携帯電話１Ｅの操作部３Ｅと対応する位置に、操作部と略同一形状の切欠き１３Ｅが設けられている。
本実施形態に係る位置決め部材２０Ｅは、携帯電話１Ｅの操作部３Ｅと略同一形状の装着面を有し、装着面に設けられた粘着層により、操作部３Ｅに着脱可能である。
【００３１】
本実施形態においても、図１３に示すように、携帯電話１Ｅの操作部３Ｅに位置決め部材２０Ｅを貼着し、切欠き１３Ｅの壁面を位置決め部材２０Ｅの外周部に配置し、位置決め部材２０Ｅの側面と切欠き１３Ｅの壁面とを当接させ、保護カバー１０Ｅが携帯電話１Ｅに近づく方向に切欠き１３Ｅの壁面を位置決め部材２０Ｅの側面に沿って移動させる。携帯電話１Ｅの表示部２が設けられた面における保護カバー１０Ｅの位置を、位置決め部材２０Ｅにより規制することができ、携帯電話１Ｅの表示部２が設けられた面に対する保護カバー１０Ｅの位置決めを容易に行うことができる。
【００３２】
以上、本発明の保護カバーセットについて詳細に説明したが、本発明は上記実施形態及び実施例に限定されず、本発明の主旨を逸脱しない範囲において、種々の改良や変更をしてもよいのはもちろんである。例えば、上記実施形態においては、操作部３に位置決め部材を固定した場合について説明したが、本発明はこれに限らず、例えばレンズ部５等、表示部とは異なる領域であって、保護カバーの対応する位置に貫通孔が設けられる所定の領域と同一形状の位置決め部材を用いて保護カバーの位置決めを行ってもよい。
【符号の説明】
【００３３】
１、１Ｅ  携帯電話（携帯端末）
２  表示部
３、３Ｅ  操作部
４  スピーカ孔（音声出力部）
５  レンズ部
１０、１０Ｃ、１０Ｅ  保護カバー
１３、１４  貫通孔
１３Ｂ、１３Ｅ  切欠き
１９  粘着層
２０Ａ、２０Ｂ、２０Ｄ、２０Ｅ  位置決め部材
２１  装着面
２２  側面
２４  把持部
【図１】
2015148650.tif 000003
【図２】
2015148650.tif 000004
【図３】
2015148650.tif 000005
【図４】
2015148650.tif 000006
【図５】
2015148650.tif 000007
【図６】
2015148650.tif 000008
【図７】
2015148650.tif 000009
【図８】
2015148650.tif 000010
【図９】
2015148650.tif 000011
【図１０】
2015148650.tif 000012
【図１１】
2015148650.tif 000013
【図１２】
2015148650.tif 000014
【図１３】
2015148650.tif 000015